(57)【要約】【課題】フロントフレーム部とサイドフレーム部の組立性、堅牢性を向上させる加熱調理器を実現すること。【解決手段】サイドフレーム及びフロントフレームは、フロントフレーム部に設けた傾斜部の裏側でサイドフレームに設けた係合片が前記傾斜部の下端部より上方で位置するように固定されることで、フロントフレーム部とサイドフレーム部が係合片により固定され、フロントフレーム部が前に垂れ下がることがなく、加熱調理器の組立性、堅牢性を高めることができる。【選択図】図８
2010007969.tif 000002
【特許請求の範囲】
【請求項１】
本体上面に設けられ上方から見て略長方形に形成された天板と、前記天板の前面に沿って配置され金属板を折り曲げて形成されたフロントフレーム部と、前記天板の側面に沿って配置され金属板を折り曲げて形成されたサイドフレーム部とを備え、前記フロントフレーム部は、後方に向かって下がる傾斜部が形成されて前記天板の上面端縁を覆うフロントフレーム上面と、前記フロントフレーム上面の前方端部で下方に折り曲げて形成したフロントフレーム前面と、前記フロントフレーム前面の下端部で内側に折り曲げて形成されたフロントフレーム前方下面と、前記フロントフレーム上面の側方端部で下方に折り曲げて形成されたフロントフレーム側面と、前記フロントフレーム側面の下端部で内側に折り曲げて形成されたフロントフレーム側方下面とを備え、前記サイドフレーム部は、前方の端部近傍が前記フロントフレーム部の内側に挿入される挿入部を構成し、前記挿入部において、前記フロントフレーム上面の下方でかつ前記傾斜部の下端部より上方に配設され前記フロントフレーム上面の長手方向に前記サイドフレームから突出し前記傾斜部と当接することにより前記挿入部が前記フロントフレーム部から抜けるのを防止する係止片が形成されたことを特徴とする加熱調理器。
【請求項２】
サイドフレーム部は、天板上面端縁を覆うサイドフレーム上面と、前記サイドフレーム上面を下方に折り曲げて形成したサイドフレーム側面を備え、外側に向けて突出する帯状の突出部を前記上面及び側面の一部を変形させて挿入部に隣接した位置に形成したことを特徴とする請求項１に記載の加熱調理器。
【請求項３】
サイドフレーム部は、天板上面端縁を覆うサイドフレーム上面と、前記サイドフレーム上面を下方に折り曲げて形成されたサイドフレーム側面と、前記サイドフレーム側面の下端部で内側に折り曲げて形成されたサイドフレーム下面とを備え、挿入部において前記サイドフレーム下面を削除したことを特徴とする請求項１あるいは２に記載の加熱調理器。
【請求項４】
サイドフレーム部は、挿入部においてサイドフレーム側面の端縁の下方角部を削除し、前記サイドフレーム側面の下端部に後方から、前方に向かって立ち上がる傾斜が形成されたガイド部を設けたことを特徴とする請求項３に記載の加熱調理器。
【請求項５】
フロントフレーム部は、傾斜部の側方端部に切り欠き部を有し、前記切り欠き部にサイドフレーム部の突出部の一部が配設されることを特徴とする請求項２に記載の加熱調理器。
【請求項６】
サイドフレームの係止片は、帯状に形成されかつフロントフレームに向かって下がる傾斜部が形成されていることを特徴とする請求項１〜５のいずれか１項に記載の加熱調理器。
【請求項７】
金属板で形成され、天板を前記天板の下方で支えるアンダーフレーム部を備え、フロントフレーム部の傾斜部の下端部が前記天板の上面に接し、前記アンダーフレーム部の下面の前縁に、フロントフレーム前方下面の上面が接して、前記フロントフレーム前方下面から上方に突出するように設けられた突起部が、前記アンダーフレーム部に設けられた係止穴に嵌入することで、前記フロントフレーム部は前記アンダーフレーム部に係止されることを特徴とする請求項１〜６のいずれか１項に記載の加熱調理器。
【請求項８】
金属板で形成され、天板を前記天板の下方で支えるアンダーフレーム部を備え、サイドフレーム部は、天板上面端縁を覆い前記天板の中央側に向けて下方に傾斜する傾斜部が形成されたサイドフレーム上面と、前記サイドフレーム上面を下方に折り曲げて形成されたサイドフレーム側面と、サイドフレーム側面の下端部で内側に折り曲げて形成されたサイドフレーム下面とを備え、前記サイドフレーム部の傾斜部の下端が前記天板の上面に接し、前記アンダーフレーム部の下面の側縁に、前記サイドフレーム下面の上面が接して、前記サイドフレーム下面から上方に突出するように設けられた突起部が、前記アンダーフレーム部に設けられた係止穴に嵌入することで、前記サイドレーム部は前記アンダーフレーム部に係止されることを特徴とする請求項７に記載の加熱調理器。
【発明の詳細な説明】
【技術分野】
【０００１】
本発明は、一般家庭の台所や業務用の厨房等で使用される加熱調理器に関する。
【背景技術】
【０００２】
この種の加熱調理器は、略矩形の天板と、天板の両側縁及び後縁を覆うフレームと、天板の前縁を覆う前板とを備え、前板に加熱調理器を操作するための操作部が設けられている（例えば、特許文献１あるいは２参照）。
【０００３】
【特許文献１】特開２００８−５７９３０号公報
【特許文献２】特開２００８−１３５３２０号公報
【発明の開示】
【発明が解決しようとする課題】
【０００４】
しかしながら、特許文献１あるいは２に記載の加熱調理器は、本体の上面に設けられた天板の前方に沿って設けられるフロントフレーム（前板）と天板の側方に沿って設けられるサイドフレームの接続部に接続部材が設けられており、部品点数が多く、組立性の点でまだまだ改善の余地があった。
【０００５】
最近では、天板の手前側に静電容量式のタッチコントロール式の操作部を設けたものも提案されており、このような構成において操作部を配置するため、又は外観のデザイン性向上のためフロントフレームの上部の幅を狭くすると、フロントフレーム及びサイドフレームを天板に機械的に十分な固定強度を維持して固定することができず、フロントフレームが天板からはずれ易いという問題がある。
【０００６】
本発明は、従来技術の有するこのような問題点に鑑みてなされたものであり、従来のものに比べ、組立性、堅牢性を十分向上させた、信頼性の高い加熱調理器を提供することを目的としている。
【課題を解決するための手段】
【０００７】
上記目的を達成するために、本発明の加熱調理器は、本体上面に設けられ上方から見て略長方形に形成された天板と、前記天板の前面に沿って配置され金属板を折り曲げて形成されたフロントフレーム部と、前記天板の側面に沿って配置され金属板を折り曲げて形成されたサイドフレーム部とを備え、前記フロントフレーム部は、後方に向かって下がる傾斜部が形成されて前記天板の上面端縁を覆うフロントフレーム上面と、前記フロントフレーム上面の側方端部で下方に折り曲げて形成されたフロントフレーム側面と、前記フロントフレーム側面の下端部で内側に折り曲げて形成されたフロントフレーム側方下面とを備え、前記サイドフレーム部は、前方の端部近傍が前記フロントフレーム部の内側に挿入される挿入部を構成し、前記挿入部において、前記フロントフレーム上面の下方でかつ前記傾斜部の下端部より上方に配設され前記フロントフレーム上面の長手方向に前記サイドフレームから突出し前記傾斜部と当接することにより前記挿入部が前記フロントフレーム部から抜けるのを防止する係止片が形成されたことを特徴とするものである。
【０００８】
これによって、フロントフレーム部にサイドフレーム部の挿入部が挿入され、係止片とフロントフレーム部の傾斜部とによりフロントフレーム部とサイドフレーム部が相互に機械的に固定されるので、フロントフレーム部がサイドフレーム部からはずれにくくなりかつ組立性が向上することとなる。
【発明の効果】
【０００９】
本発明の加熱調理器は、フロントフレーム部とサイドフレーム部の接続を簡単にして組立性を向上させるとともに、フロントフレーム部とサイドフレーム部の接続をはずれにくくすることができる。
【発明を実施するための最良の形態】
【００１０】
第１の発明は、本体上面に設けられ上方から見て略長方形に形成された天板と、前記天板の前面に沿って配置され金属板を折り曲げて形成されたフロントフレーム部と、前記天板の側面に沿って配置され金属板を折り曲げて形成されたサイドフレーム部とを備え、前記フロントフレーム部は、後方に向かって下がる傾斜部が形成されて前記天板の上面端縁を覆うフロントフレーム上面と、前記フロントフレーム上面の前方端部で下方に折り曲げて形成したフロントフレーム前面と、前記フロントフレーム前面の下端部で内側に折り曲げて形成されたフロントフレーム前方下面と、前記フロントフレーム上面の側方端部で下方に折り曲げて形成されたフロントフレーム側面と、前記フロントフレーム側面の下端部で内側に折り曲げて形成されたフロントフレーム側方下面とを備え、前記サイドフレーム部は、前記フロントフレーム部の内側に挿入される挿入部を構成し、前記挿入部において、前記フロントフレーム上面の下方でかつ前記傾斜部の下端部より上方に配設され前記フロントフレーム上面の長手方向に突出し前記傾斜部と当接することにより前記挿入部が前記フロントフレームから抜けるのを防止する係止片が形成されることを特徴とする。サイドフレーム部は、金属板を折り曲げて形成され、前方の端部近傍がフロントフレーム部の内側に挿入される挿入部を構成することにより、別部材でフロントフレーム部との結合部品を設ける必要がないので構成が簡素化される。
【００１１】
また、サイドフレーム部は、挿入部において、フロントフレーム上面の下方でかつ傾斜部の下端部より上方に配設されフロントフレーム上面の長手方向に突出し傾斜部と当接することにより挿入部がフロントフレーム部から抜けるのを防止する係合片が形成されたことにより、フロントフレーム部の内側にサイドフレームの挿入部を挿入した際、簡単な構成でフロントフレーム部とサイドフレーム部の接続構成を簡素化し、かつその堅牢性を顕著に高めることができる。また、フロントフレームとサイドフレームの接続部分の占有空間を小さくすることができるのでフロントフレーム上面の前後の幅を狭くし、デザイン的に優れたものとすることができる。
【００１２】
第２の発明は、特に第１の発明のサイドフレーム部を、天板上面端縁を覆うサイドフレーム上面と前記サイドフレーム上面を下方に折り曲げて形成したサイドフレーム側面を有し、外側に向けて突出する帯状の突出部を前記上面及び側面の一部を変形させて挿入部に隣接した位置に形成したことにより、サイドフレーム部の挿入部がフロントフレーム部の内側に挿入されると、外側に向けて突出する帯状の突出部がフロントフレーム部の端部と隣接配置されるので、サイドフレーム部をフロントフレーム部に挿入するときのストッパーの役目を果たすとともに、前記フロントフレーム部の端部の切断面が指に当るのを防止し切傷を起こさないためのエッジ保護となる。
【００１３】
第３の発明は、特に第１〜２の発明のいずれか１つの発明におけるサイドフレーム部は、天板上面端縁を覆うサイドフレーム上面と、前記サイドフレーム上面を下方に折り曲げて形成されたサイドフレーム側面と、前記サイドフレーム側面の下端部で内側に折り曲げて形成されたサイドフレーム下面とを備え、挿入部において前記サイドフレーム下面を削除することにより、フロントフレーム部にサイドフレーム部を挿入する際、サイドフレーム側面の下端をフロントフレーム側方下面上又はフロントフレーム側方下面の端部に当接させて摺動させながら内側に挿入することができる。すなわち、挿入時にサイドフレーム側面の下端がフロントフレーム側方下面にガイドされることになり、組立作業を容易にすることができる。
【００１４】
第４の発明は、特に第３の発明におけるサイドフレーム部が、挿入部においてサイドフレーム側面の端縁の下方角部を削除し前記サイドフレーム側面の下端部に後方から、前方に向かって立ち上がる傾斜が形成されたガイド部を設けたことにより、サイドフレーム部の挿入部をフロントフレーム部に挿入する際にガイド部をフロントフレーム側方下面に当接させて摺動させることで、係止片がフロントフレーム上面の傾斜部の下端部の下を斜め上方にくぐり抜けるように移動するようにして傾斜部と係止片２３とが挿入時に干渉しにくくすることができるので、挿入作業が容易となる。
【００１５】
第５の発明は、特に第２の発明におけるフロントフレーム部が、傾斜部の側方端部に切り欠き部を有し、前記切り欠き部にサイドフレーム部の突出部の一部である上面部が配設されることにより、サードフレーム部の内側と前方への移動を、切り欠き部を形成するフロントフレーム上面と突出部により制限し、サイドフレーム部の後方への移動を係止片と、フロントフレーム部の傾斜部により制限してフロントフレームの接続を安定させることができる。
【００１６】
第６の発明は、特に第１〜５の発明におけるサイドフレーム部の係止片は、帯状に形成されかつフロントフレーム部に向かって下がる傾斜部が形成されていることにより、係止片に設けられた傾斜部がガイドとなり、サイドフレームの挿入部をフロントフレーム上面の傾斜部の下端を通過しやすくすることができる。
【００１７】
第７の発明は、特に第１〜６の発明のいずれか１つの発明において、金属板で形成され、天板を前記天板の下方で支えるアンダーフレーム部を備え、フロントフレーム部の傾斜部の下端部が前記天板の上面に接し、前記アンダーフレーム部の下面の前縁に、フロントフレーム前方下面の上面が接して、前記フロントフレーム前方下面から上方に突出するように設けられた突起部が、前記アンダーフレーム部に設けられた係止穴に嵌入することで、前記フロントフレーム部は前記アンダーフレーム部に係止されることにより、上面からみて前後方向の幅の狭いフロントフレーム部を天板の前縁に沿って、簡単に取り付けることができる。アンダーフレーム部は金属製で穴加工が容易であり、フロントフレーム部はステンレスの薄板（例えば、厚みが０．３ｍｍ）を用いることでフロントフレーム前方下面に突起部を設けることも容易にでき、アンダーフレーム部上に天板を接着剤などで載置固定しサイドフレーム部を装着した状態でフロントフレーム部に挿入することで、フロントフレーム部を容易に天板とアンダーフレーム部に固定でき、かつフロントフレーム部を天板により強固に固定できる構成となる。したがって、フロントフレーム部を細くして外観を良くするとともに、フロントフレーム部の組立性の向上と固定強度を安定させることができる。
【００１８】
第８の発明は、特に第７の発明において、金属板で形成され、天板を前記天板の下方で支えるアンダーフレーム部を備え、サイドフレーム部は、天板上面端縁を覆い前記天板の中央側に向けて下方に傾斜する傾斜部が形成されたサイドフレーム上面と、前記サイドフレーム上面を下方に折り曲げて形成されたサイドフレーム側面と、サイドフレーム側面の下端部で内側に折り曲げて形成されたサイドフレーム下面とを備え、前記サイドフレーム部の傾斜部の下端が前記天板の上面に接し、前記アンダーフレーム部の下面の側縁に、前記サイドフレーム下面の上面が接して、前記サイドフレーム下面から上方に突出するように設けられた突起部が、前記アンダーフレーム部に設けられた係止穴に嵌入することで、前記サイドレーム部は前記アンダーフレーム部に係止される構成とすることにより、フロントフレーム部と同様、サイドフレーム上面の幅を細くして外観を良くするとともに、サイドフレーム部の組立性の向上と固定強度を安定させることができる。
【００１９】
以下、本発明の実施の形態について、図面を参照しながら説明する。なお、この実施の形態によって本発明が限定されるものではない。
【００２０】
図１は、本発明に係る加熱調理器の全体構成を示す斜視図である。
図１において、加熱調理器本体５は、天板１を上面に備え、天板１は耐熱性、機械強度、耐薬品性及び電気絶縁性に優れた結晶化セラミックなどの耐熱性ガラス製で、上面又は裏面に印刷を施されるものである。天板１の端縁に沿って、天板端部の強度を保護するため、天板１の外周端部を覆うフロントフレーム部２、サイドフレーム部３及びバックフレーム部４を有している。フロントフレーム部２、サイドフレーム部３、バックフレーム部４は、例えば、ステンレスの金属板を折り曲げて形成され、吸気口、排気口(図示せず)が設けられる場合がある。また、本体５の前面は、加熱庫の開閉のための前面ドア６、出没式の操作部７が設けられている。
【００２１】
図２は、天板の周縁部の構成を示す要部拡大図である。図３は、同要部拡大断面図であり、図２におけるＡ−Ａ断面図である。図４は、同要部拡大斜視図である。図５は、本発明に係る加熱調理器のフロントフレーム部の要部斜視図であり、図６は、同サイドフレーム部の要部斜斜視図である。図７は、同サイドフレーム部近傍の要部断面図である。図８は、本発明に係る加熱調理器のフロントフレーム部及びサイドフレーム部の接続構成を示す要部拡大斜視図である。
【００２２】
図１に示すように、天板１は本体５上面に設けられ上方から見て略長方形に形成され、フロントフレーム部２は天板１の前面１ａに沿って配置され金属板を折り曲げて形成され、サイドフレーム部３は天板１の側面１ｂに沿って配置され金属板を折り曲げて形成される。
【００２３】
図３、図５に示すように、フロントフレーム部２は、後方（天板３の後縁側）に向かって下がる傾斜部１１が形成されており、天板１の上面端縁１３を覆うフロントフレーム上面１４と、フロントフレーム上面１４の側方端部８で下方に折り曲げて形成されたフロントフレーム側面９と、フロントフレーム側面９の下端部９ａで内側に折り曲げて形成されたフロントフレーム側方下面１９と、フロントフレーム上面１４の前方端部で下方に折り曲げて形成したフロントフレーム前面１０と、フロントフレーム前面１０の下端部で内側に折り曲げて形成されたフロントフレーム前方下面１８と、を備える。なお、フロントフレーム部２に、フロントフレーム上面１４とフロントフレーム前面１０の境界面が明確に現れないような前方に向かって下がり下端部１０ａまで続く傾斜部を形成しても良い。この場合、その傾斜部の下端部近傍部分をフロントフレーム前面１０とし、当該傾斜部の残りの部分をフロントフレーム上面１４とする。
【００２４】
図６、図８（内側から見た図）に示すように、サイドフレーム部３には、フロントフレーム部２の内側に挿入される挿入部３ａが構成され、挿入部３ａにおいて、フロントフレーム上面１４の下方でかつ傾斜部１１の下端部１１ａより上方に配設され（図３参照）、フロントフレーム上面１４の長手方向（図１のＡで示す方向）に突出し傾斜部１１の内側の面１１ｂと当接することにより挿入部３ａがフロントフレーム部２から抜けるのを防止する係止片２３が形成されている。
【００２５】
また、図６、図７に示すように、サイドフレーム部３は、天板１の上面端縁１３を覆うサイドフレーム上面２１と、サイドフレーム上面２１を下方に折り曲げて形成したサイドフレーム側面１７を有し、外側に向けて突出する帯状の突出部１６が上面２１及び側面１７の一部を変形させて挿入部３ａに隣接した位置に形成されている。
【００２６】
サイドフレーム部３はさらに、サイドフレーム側面１７の下端部１７ａで内側に折り曲げて形成されたサイドフレーム下面２４を備え、挿入部３ａにおいてサイドフレーム下面２４は削除されている（図６の破線で削除部２４ａを示す）。サイドフレーム部３はまた、サイドフレーム側面１７の端縁の下方角部２２ａも削除され、サイドフレーム側面１７の下端部１７ｂに後方から、前方に向かって立ち上がる傾斜が形成されたガイド部２２が設けられている。
【００２７】
また、図５に示すように、フロントフレーム部２は、傾斜部１１の側方端部に切り欠き部２０を有し、この切り欠き部２０に、サイドフレーム部３の突出部１６の上面部１６ａが配設される。
【００２８】
サイドフレーム部３の係止片２３には、帯状に形成されかつフロントフレームに向かって下がる傾斜部２３ａが形成されている。
【００２９】
また、図３に示すように、金属板で形成され、天板１を天板１の下方で支えるアンダーフレーム部１５が設けられており、フロントフレーム部２の傾斜部１１の下端部１１ａが天板１の上面に接し、アンダーフレーム部１５の下面の前縁に、フロントフレーム前方下面１８の上面が接して、フロントフレーム前方下面１８から上方に突出するように設けられた突起部１８ａが、アンダーフレーム部１５に設けられた係止穴１５ａに嵌入することで、フロントフレーム部２はアンダーフレーム部１５に係止される。なお、アンダーフレーム部１５の上面に、ネジ穴が設けられた固定ネジ穴部１５ｂを形成し、フロントフレーム部２がアンダーフレーム部１５に係止された後、ネジをフロントフレーム前方下面１８に設けた穴（図示せず）に貫通させ固定ネジ穴部１５ｂに螺着して、フロントフレーム部１５とアンダーフレーム部１５との固定強度を補っても良い。固定ネジ穴部１５ｂによる固定は省略することもできる。
【００３０】
また、図７に示すように、サイドフレーム部３は、天板１の上面端縁１３を覆い天板１の中央側に向けて下方に傾斜する傾斜部２１ａが形成されたサイドフレーム上面２１と、サイドフレーム上面２１を下方に折り曲げて形成されたサイドフレーム側面１７と、サイドフレーム側面１７の下端部１７ａで内側に折り曲げて形成されたサイドフレーム下面２４とを備え、サイドフレーム部３の傾斜部２１ａの下端が天板１の上面に接し、アンダーフレーム部１５の下面の側縁に、サイドフレーム下面２４の上面が接して、サイドフレーム下面２４から上方に突出するように設けられた突起部２４ｂが、アンダーフレーム部１５に設けられた係止穴１５ａに嵌入することで、サイドフレーム部２はアンダーフレーム部１５に係止される。
【００３１】
以上のように、本実施の形態においては、本体５上面に設けられ上方から見て略長方形に形成された天板１と、天板１の前面１ａに沿って配置され金属板を折り曲げて形成されたフロントフレーム部２と、天板１の側面１ｂに沿って配置され金属板を折り曲げて形成されたサイドフレーム部３とを備え、フロントフレーム部２は、後方に向かって下がる傾斜部１１が形成されて天板１の上面端縁１３を覆うフロントフレーム上面１４と、フロントフレーム上面１４の前方端部１２で下方に折り曲げて形成したフロントフレーム前面１０と、フロントフレーム前面１０の下端部１０ａで内側に折り曲げて形成されたフロントフレーム前方下面１８と、フロントフレーム上面１４の側方端部８で下方に折り曲げて形成されたフロントフレーム側面９と、フロントフレーム側面９の下端部９ａで内側に折り曲げて形成されたフロントフレーム側方下面１９と、を備え、サイドフレーム部３は、フロントフレーム部２の内側に挿入される挿入部３ａを構成し、挿入部３ａにおいて、フロントフレーム上面１４の下方でかつ傾斜部１１の下端部１１ａより上方に配設されフロントフレーム上面１４の長手方向（図１のＡで示す方向）に突出し傾斜部１１の内側の面１１ｂと当接することにより挿入部３ａがフロントフレーム部２から抜けるのを防止する係止片２３が形成されることを特徴とする。サイドフレーム部３は、金属板を折り曲げて形成され、前方の端部近傍がフロントフレーム部２の内側に挿入される挿入部３ａを構成することにより、別部材でフロントフレーム部２との結合部品を設ける必要がないので構成が簡素化される。
【００３２】
サイドフレーム部３は、挿入部３ａにおいて、フロントフレーム上面１４の下方でかつ傾斜部１１の下端部１１ａより上方に配設されフロントフレーム上面１４の長手方向に突出し傾斜部１１の内側の面１１ｂと当接することにより挿入部３ａがフロントフレーム部２から抜けるのを防止する係止片２３が形成されたことにより、フロントフレーム部２の内側にサイドフレーム部３の挿入部３ａを挿入した際、フロントフレーム部２とサイドフレーム部３の接続構成を簡素化し、かつその堅牢性を顕著に高めることができる。また、フロントフレーム部２とサイドフレーム部３の接続空間を小さくすることができるのでフロントフレーム上面の前後の幅（図３のＢで示す部分）を狭くし、デザイン的に優れたものとすることができる。
【００３３】
また、サイドフレーム部３は、天板１の上面端縁１３を覆うサイドフレーム上面２１と、サイドフレーム上面２１を下方に折り曲げて形成したサイドフレーム側面１７を有し、外側に向けて突出する帯状の突出部１６を上面２１及び側面１７の一部を変形させて挿入部３ａに隣接した位置に形成したことにより、サイドフレーム部３の挿入部３ａがフロントフレーム部２の内側に挿入されると、外側に向けて突出する帯状の突出部１６がフロントフレーム部２の端部９ａ、１４ａと隣接配置されるので、サイドフレーム部３をフロントフレーム部２に挿入するときのストッパーの役目を果たすとともに、フロントフレーム部２の端部９ａ、１４ａの切断面が指に当るのを防止し切傷を起こさないためのエッジ保護となる。
【００３４】
また、サイドフレーム部３は、天板１の上面端縁１３を覆うサイドフレーム上面２１と、サイドフレーム上面２１を下方に折り曲げて形成されたサイドフレーム側面１７と、サイドフレーム側面１７の下端部１７ａで内側に折り曲げて形成されたサイドフレーム下面２４とを備え、挿入部３ａにおいてサイドフレーム下面２４（図６の破線で示す削除部２４ａ）を削除することにより、フロントフレーム部２にサイドフレーム部３を挿入する際、サイドフレーム側面１７の挿入部下端部１７ｂをフロントフレーム側方下面１９上又はフロントフレーム側方下面１９の端部１９ａに当接させて摺動させながら内側に挿入することができる。すなわち、挿入時にサイドフレーム側面１７の挿入部下端部１７ｂがフロントフレーム側方下面にガイドされることになり、組立作業を容易にすることができる。
【００３５】
また、サイドフレーム部３は、サイドフレーム下面２４が挿入部３ａにおいて削除され、さらにサイドフレーム側面１７の端縁の下方角部２２ａを削除しサイドフレーム側面１７の下端部１７ｂに後方から、前方に向かって立ち上がる傾斜が形成されたガイド部２２を設けたことにより、サイドフレーム部３の挿入部３ａをフロントフレーム部２に挿入する際にガイド部２２をフロントフレーム側方下面１９に当接させて摺動させることで、係止片２３がフロントフレーム上面１４の傾斜部１１の下端部１１ａの下を斜め上方にくぐり抜けるように移動するようにして傾斜部１１と係止片２３とが挿入時に干渉しにくくすることができるので、挿入作業が容易となる。
【００３６】
また、フロントフレーム部２が、傾斜部１１の側方端部に切り欠き部２０を有し、この切り欠き部２０に、サイドフレーム部３の突出部１６の上面部１６ａが配設されることにより、サードフレーム部３の内側と前方への移動を、切り欠き部を形成するフロントフレーム上面１１と突出部１６により制限し、サイドフレームの後方への移動を係止片２３と、フロントフレーム部２の傾斜部１１により制限してフロントフレーム部２の接続を安定させることができる。
【００３７】
また、サイドフレーム部３の係止片２３は、帯状に形成されかつフロントフレームに向かって下がる傾斜部２３ａが形成されていることにより、傾斜部２３ａがガイドとなり、挿入時に、サイドフレーム部３の挿入部３ａがフロントフレーム上面の傾斜部の下端の下を通過しやすくすることができる。
【００３８】
また、金属板で形成され、天板１を天板１の下方で支えるアンダーフレーム部１５を備え、フロントフレーム部２は、傾斜部１１の下端部１１ａが天板１の上面に接し、アンダーフレーム部１５の下面の前縁に、フロントフレーム前方下面１８の上面が接してアンダーフレーム部１５に設けられた係止穴１５ａとフロントフレーム前方下面１８から上方に突出するように設けられた突起部１８ａとで係止されることにより、上面からみて前後方向の幅（図３の幅Ｂで示す）の狭い（例えば、１６ｍｍ）フロントフレーム部２を天板の前縁に沿って、簡単に取り付けることができる。アンダーフレーム部１５は金属製で穴加工が容易であり、フロントフレーム部２は、例えば、ステンレスの薄板（例えば、厚みが０．３ｍｍ）を用いることでフロントフレーム前方下面１８に突起部１８ａを設けることも容易にでき、アンダーフレーム部上に天板１を接着剤などで載置固定しサイドフレーム部３を装着した状態でフロントフレーム部２に挿入することで、フロントフレーム部２を容易に天板１とアンダーフレーム部２に固定でき、かつフロントフレーム部２を天板１により強固に固定できる構成となる。したがって、フロントフレーム部２を細くして外観を良くするとともに、フロントフレーム部２の組立性の向上と固定強度を安定させることができる。
【００３９】
また、金属板で形成され、天板１を天板１の下方で支えるアンダーフレーム部１５を備え、サイドフレーム部３は、天板１の上面端縁１３を覆い天板１の中央側に向けて下方に傾斜する傾斜部２１ａが形成されたサイドフレーム上面２１と、サイドフレーム上面２１を下方に折り曲げて形成されたサイドフレーム側面１７と、サイドフレーム側面１７の下端部１７ａで内側に折り曲げて形成されたサイドフレーム下面２４とを備え、サイドフレーム部３の傾斜部２１ａの下端が天板１の上面に接し、アンダーフレーム部１５の下面の側縁に、サイドフレーム下面２４の上面が接してアンダーフレーム部１５に設けられた係止穴１８ａとサイドフレーム下面２４から上方に突出するように設けられた突起部２４ｂとで係止される構成とすることにより、フロントフレーム部２と同様、サイドフレーム上面２１の幅を細くして外観を良くするとともに、サイドフレーム部３の組立性の向上と固定強度を安定させることができる。
【産業上の利用可能性】
【００４０】
以上のように、本発明にかかる加熱調理器は、フロントフレーム部とサイドフレーム部の組立性、堅牢性を向上させる加熱調理器を実現することが可能であるので、誘導加熱調理器やガスコンロ等の用途にも適用できる。
【図面の簡単な説明】
【００４１】
【図１】本発明に係る加熱調理器の全体構成を示す斜視図
【図２】図１の加熱調理器の天板の周縁部の構成を示す斜視図
【図３】図２の線Ａ−Ａに沿った断面図
【図４】天板の周縁部の斜視図
【図５】図１の加熱調理器のフロントフレーム部の斜視図
【図６】図１の加熱調理器のサイドフレーム部の斜視図
【図７】サイドフレーム部の断面図
【図８】フロントフレーム部及びサイドフレーム部の接続構成を示す斜視図
【符号の説明】
【００４２】
１  天板、  １ａ  天板前面、  １ｂ  天板側面、２  フロントフレーム部、
３  サイドフレーム部、  ３ａ  挿入部（サイドフレーム部）、
３ｂ  前方端部（サイドフレーム部）、  ４  バックフレーム部、  ５  本体、
６  前面ドア、  ７  操作部、  ８  側方端部（フロントフレーム上面）、
９  フロントフレーム側面、  １０  フロントフレーム前面、
１１  傾斜部（フロントフレーム上面）、  １１ａ  下端部（傾斜部）、
１１ｂ  内側の面（傾斜部）、  １２  前方端部（フロントフレーム上面）、
１３  天板上面端縁、  １４  フロントフレーム上面、  １５  アンダーフレーム部、
１５ａ  係止穴（アンダーフレーム部）、  
１５ｂ  固定ネジ穴部（アンダーフレーム部）、  １６  突出部（サイドフレーム部）、
１７  サイドフレーム側面、  １７ａ  下端部（サイドフレーム側面）、
１７ｂ  挿入部下端部（サイドフレーム側面）、  １８  フロントフレーム前方下面、
１８ａ  突起部（フロントフレーム前方下面）、  １９  フロントフレーム側方下面、
１９ａ  フロントフレーム側方下面、  ２０  切り欠き（フロントフレーム部）、
２１  サイドフレーム上面、  ２１ａ  傾斜部（サイドフレーム上面）、  
２２  ガイド部、  ２３  係止片、  ２４  サイドフレーム下面、  ２４ａ  削除部、
２４ｂ  突起部（サイドフレーム下面）、  Ａ  フロントフレーム上面の長手方向、
Ｂ  フロントフレーム上面の前後の幅。
【図１】
2010007969.tif 000003
【図２】
2010007969.tif 000004
【図３】
2010007969.tif 000005
【図４】
2010007969.tif 000006
【図５】
2010007969.tif 000007
【図６】
2010007969.tif 000008
【図７】
2010007969.tif 000009
【図８】
2010007969.tif 000010